(57)【要約】折り畳んだシート状ワイプを積層させてなる積層体と、前記積層体を収納すると共に、前記ワイプの取出部を上部に有する収納体と、前記積層体の上面に付勢力により押し当たる押さえ部材とを備えており、前記押さえ部材によって、前記ワイプの折り線に直交し且つ前記積層体の上面を二等分する仮想の直線を挟んだ左側と右側とで、前記取出部から前記ワイプを引き出す際の抵抗力が等しくならないようにしてある。
2014142091.tif 000002
【特許請求の範囲】
【請求項１】
折り畳んだシート状ワイプを積層させてなる積層体と、
前記積層体を収納すると共に、前記ワイプの取出部を上部に有する収納体と、
前記積層体の上面に付勢力により押し当たる押さえ部材とを備えており、
前記押さえ部材によって、前記ワイプの折り線に直交し且つ前記積層体の上面を二等分する仮想の直線を挟んだ左側と右側とで、前記取出部から前記ワイプを引き出す際の抵抗力が等しくならないようにしてある、ワイプディペンサ。
【請求項２】
前記押さえ部材に、前記ワイプの引き出しに対する追加抵抗付与部を形成してある、請求項１に記載のワイプディペンサ。
【請求項３】
前記追加抵抗付与部は、前記ワイプの通過に摩擦力を作用させる大抵抗部及び小抵抗部とからなると共に、前記大抵抗部の摩擦力が前記小抵抗部の摩擦力よりも大きくなるようにしてあり、
前記仮想の直線を挟んで前記付勢力に起因した抵抗力が存在する側又は大である側に前記大抵抗部を位置させてなる、請求項２に記載のワイプディペンサ。
【請求項４】
前記押さえ部材は、その一端部を前記積層体の上面に当接させる押圧部とすると共に、その他端部においてアウトレット部材に支持されてなる、請求項３に記載のワイプディペンサ。
【請求項５】
前記押さえ部材は、その一端部を前記積層体の上面に当接させる押圧部とすると共に、蓄勢部材を介してアウトレット部材にこの押圧部側で支持され、この押圧部と他端部との間に追加抵抗付与部を備えてなる、請求項３に記載のワイプディペンサ。
【請求項６】
前記押さえ部材は、前記仮想の直線を挟んだ左右においてそれぞれ蓄勢部材を介してアウトレット部材に支持されると共に、左側の蓄勢部材の付勢力と右側の蓄勢部材の付勢力とが異なるようになっている、請求項３に記載のワイプディペンサ。
【請求項７】
前記押さえ部材を前記付勢力に抗する方向に引き寄せた状態に保持するための保持部材が、前記保持を解除することができるように設けられている、請求項１〜請求項６のいずれか１項に記載のワイプディスペンサ。
【発明の詳細な説明】
【技術分野】
【０００１】
この発明は、シート状ワイプの積層体を収納体内に収納させてなるワイプディスペンサの改良に関する。なお、この発明において「ワイプ」とは拭き材を示し、より詳しくは、柔軟な繊維シートに液体を染み込ませたものであって、払拭対象物表面の不要物等を拭き取る機能を発揮可能なものを意味する。ワイプの概念には、例えば、ワイピング、ボディーウォッシュ、メーク落とし、トイレの便座クリーナ等が含まれる。
【背景技術】
【０００２】
シート状ワイプの積層体を収納体内に収納させてなるワイプディスペンサにおいては、前記積層体は、典型的には、二箇所以上の折り線をもってそれぞれ折り畳まれた多数枚のワイプを、上下に重ね合わせることで構成される。従って、かかる積層体は、実質的に六面体状をなす。前記収納体には、前記積層体の最上層に位置されるワイプから順にかかるワイプを一枚ずつ引き出すための取出部が備えられる。また、長尺のシートにその幅方向に沿ったミシン目をこのシートの長さ方向において隣り合うミシン目との間に間隔を開けて複数施し、隣り合うミシン目間を一枚のワイプとするようにしたものを、折り畳んで前記積層体を構成させる場合もある。【０００３】
また、前記積層体を構成する各ワイプは、先順位で引き出されるワイプが引き出されたときに次順位で引き出されるワイプも連れ移動されるように隣り合うワイプと連係されている。典型的には、次順位で引き出されるワイプの引き出し先頭側に位置される先端部が、先順位で引き出されるワイプの後端部よりも上方に位置されるように、各ワイプを重ね合わせている。これは積層体の最上層に位置されるワイプの先端部側を浮き上がらせる状態にして、この最上層に位置されるワイプを引き出す際にこの先端部をつまみ易くするための工夫である。【０００４】
その一方で、前記収納体から同時に二枚以上のワイプが引き出される事態が生じないように、この種のワイプディスペンサにおいては、前記収納体の取出部にこれを通過する前記ワイプに抵抗を付与する構造を備えたものがある（例えば、特許文献１および２参照）。このようにすると、ワイプが収納体内から引き出される際には、先順位のワイプと次順位のワイプとが分離されて、次順位のワイプの先端部側は浮き上がるがこの先端部側が前記取出部を通じて前記収納体の外側にはみ出さないようにすることが可能となる。【０００５】
しかるに、この種のワイプディスペンサを構成する前記収納体の容積は、前記積層体をこの収納体に収納する関係上、この積層体の体積よりも常に大きい。この容積と体積との差は、ワイプが消費されるにしたがって大きくなっていく。このため、特許文献１のものは、前記取出部を上方に向けた横置き状態での使用には格別の不都合はなくても、この取出部を側方に向けた縦置き状態での使用には不向きであった。また、前記収納体が軟包装材料から構成されている袋体である場合、この収納体の保形力は積層体に依存するため、ワイプが消費されるに従って前記収納体の保形力が低下する。【０００６】
また、ワイプは前記液体の作用により、上下に隣り合うワイプ同士の密着性が高い。特に、ワイプの消費が進んでも、前記液体の量はこのワイプの消費に比例して減少し難いことから、ワイプの消費が進むに連れて収納体内に残存するワイプの含水率は高まる傾向にあり、上下に隣り合うワイプ同士の密着性もワイプの消費が進むに連れて高くなる。このため、この種のワイプディスペンサにおいては、先順位で引き出されるワイプと次順位で引き出されるワイプとを、円滑に、かつ一層確実に、分離できるようにすることが強く望まれるところであった。
【先行技術文献】
【特許文献】
【０００７】
【特許文献１】特開２０１２−２０６７８１号公報
【特許文献２】実開平１−１７８７９１
【発明の概要】
【発明が解決しようとする課題】
【０００８】
この発明は、第一に、この種のワイプディスペンサにおいて、縦置きでの不都合のない使用を可能とすると共に、これを構成する収納体内でのワイプの積層体のがさつきをできるだけ抑止し、さらに、ワイプの消費が収納体の保形力にできる限り影響しないようにしながら、先順位で引き出されるワイプと次順位で引き出されるワイプとを、円滑に、かつ一層確実に、分離できるようにすることを目的とする。【０００９】
また、第二に、先順位で引き出されるワイプと次順位で引き出されるワイプとを前記のように分離させながら、次順位で引き出されるワイプの先端部側を適度に浮き上がらせることが可能なワイプディスペンサを提供することを目的とする。【００１０】
また第三に、ワイプディスペンサを構成する押さえ部材が、これを構成する収納体とアウトレット部材との組み付け工程時や、ワイプの積層体を収納体に梱包する工程時に、他の部材などに不必要に接触して障害となってしまうようなことがなく、自動製造機を用いた製造をスムーズ且つ容易に行うことができるワイプディスペンサを提供することを目的とする。
【課題を解決するための手段】
【００１１】
前記第一の課題を達成するために、この発明にあっては、ワイプディスペンサを、折り畳んだシート状ワイプを積層させてなる積層体と、前記積層体を収納すると共に、前記ワイプの取出部を上部に有する収納体と、前記積層体の上面に付勢力により押し当たる押さえ部材とを備えており、前記押さえ部材によって、前記ワイプの折り線に直交し且つ前記積層体の上面を二等分する仮想の直線を挟んだ左側と右側とで、前記取出部から前記ワイプを引き出す際の抵抗力が等しくならないようにしてあるものとした。【００１２】
また、前記第二の課題を達成するために、この発明にあっては、前記ワイプディスペンサの前記押さえ部材に、さらに、前記ワイプの引き出し対する追加抵抗付与部を形成させている。この追加抵抗付与部は、前記ワイプの通過に摩擦力を作用させる大抵抗部及び小抵抗部とからなると共に、前記大抵抗部の摩擦力が前記小抵抗部の摩擦力よりも大きくなるようにし、前記仮想の直線を挟んで前記付勢力に起因した抵抗力が存在する側又は大である側に前記大抵抗部を位置させたものとすることが、この発明の好ましい態様の一つである。【００１３】
また、前記第三の課題を達成するために、この発明にあっては、前記ワイプディスペンサがさらに、前記押さえ部材を前記付勢力に抗する方向に引き寄せた状態に保持するための保持部材を、前記保持を解除することができるように備えてなるものとした。【００１４】
前記ワイプディスペンサにおいて、前記押さえ部材は、その一端部を前記積層体の上面に当接させる押圧部とすると共に、その他端部において前記ワイプの取出口を備えたアウトレット部材に支持されたものとすることが、この発明の好ましい態様の一つである。【００１５】
また、前記ワイプディスペンサにおいて、前記押さえ部材は、その一端部を前記積層体の上面に当接させる押圧部とすると共に、蓄勢部材を介して前記ワイプの取出口を備えたアウトレット部材にこの押圧部側で支持され、この押圧部と他端部との間に追加抵抗付与部を備えたものとすることが、この発明の好ましい態様の一つである。【００１６】
また、前記ワイプディスペンサにおいて、前記押さえ部材は、前記仮想の直線を挟んだ左右においてそれぞれ蓄勢部材を介して前記ワイプの取出口を備えたアウトレット部材に支持されると共に、左側の蓄勢部材の付勢力と右側の蓄勢部材の付勢力とが異なるようになっているものとすることが、この発明の好ましい態様の一つである。
【発明の効果】
【００１７】
この発明にかかるワイプディスペンサにあっては、前記押さえ部材の機能により、縦置きでの不都合のない使用が可能であり、また、収納体内でのワイプの積層体のがさつきは可及的に抑止され、また、ワイプの消費が収納体の保形力に影響を及ぼす事態を可及的に防止することができ、さらに、先順位で引き出されるワイプと次順位で引き出されるワイプとを円滑、かつ確実に分離させることができる。【００１８】
また、この発明にかかるワイプディスペンサにあっては、前記追加抵抗付与部の機能により、先順位で引き出されるワイプと次順位で引き出されるワイプとを前記のように分離させながら、次順位で引き出されるワイプの先端部側を適度に浮き上がらせることができる。【００１９】
また、この発明にかかるワイプディスペンサにあっては、前記保持部材の機能により、ワイプディスペンサを構成する押さえ部材が、これを構成する収納体とアウトレット部材との組み付け工程時や、ワイプの積層体を収納体に梱包する工程時に、他の部材などに不必要に接触して障害となってしまうようなことがなく、自動製造機を用いた製造をスムーズ且つ容易に行うことができる。
【図面の簡単な説明】
【００２０】
【図１】図１は、この発明の一実施の形態にかかるワイプディスペンサ（第一例）の外観を示した斜視構成図である。
【図２】図２は、図１におけるＡ−Ａ線位置での断面図である。
【図３】図３は、図１におけるＡ−Ａ線位置での断面図であり、ワイプが消費された状態を示している。
【図４】図４は前記第一例を構成するアウトレット部材及び押さえ部材の斜視図である。
【図５】図５は前記第一例を構成するアウトレット部材及び押さえ部材の斜視図であり、これらをこれらの下面側から見て示している。
【図６】図６は前記第一例を構成する押さえ部材と積層体とを表した斜視構成図である。
【図７】図７は前記第一例の押さえ部材の構成の一部変更例を示した斜視構成図である。
【図８】図８は、この発明の一実施の形態にかかるワイプディスペンサ（第二例）を構成する押さえ部材と積層体とを表した斜視構成図である。
【図９】図９は、この発明の一実施の形態にかかるワイプディスペンサ（第三例）を構成するアウトレット部材及び押さえ部材を斜視図であり、これらをこれらの下面側から見て示している。
【図１０】図１０は、前記第三例の要部断面構成図である。
【図１１】図１１は、この発明の一実施の形態にかかるワイプディスペンサ（第四例）の断面構成図である。
【図１２】図１２は、前記第四例を構成するアウトレット部材及び押さえ部材の斜視図であり、これらをこれらの下面側から見て示している。
【図１３】図１３は、前記第四例の要部断面図であり、開封部材の取り外し前の状態を示している。
【図１４】図１４は、前記第四例の要部断面図であり、開封部材の取り外し後の状態を示している。
【図１５】図１５は、Ｚ折りのワイプからなる積層体を含んでなるワイプディスペンサの構成図である。
【図１６】図１６は、図１５の積層体の最上層のワイプを引き出し始めた状態を示した側面構成図である。
【図１７】図１７は、図１５の積層体の最上層のワイプを引き出す過程を示した側面構成図であり、図１６よりも引き出しが進行した状態を示している。
【図１８】図１８は、図１５の積層体の最上層のワイプを引き出す過程を示した側面構成図であり、図１７よりも引き出しが進行した状態を示している。
【図１９】図１９は、図１５の積層体の最上層のワイプを引き出す過程において、最上層のワイプの引き出しに伴って次順位のワイプが大きく浮き上がった状態を示している。
【図２０】図２０は、図１５の積層体の最上層のワイプを引き出し始めた状態を示した側面構成図であり、押さえ部材による抵抗力が作用されている状態を示している。
【図２１】図２１は、押さえ部材による抵抗力が作用されている状況下で図１５の積層体の最上層のワイプを引き出す過程を示した側面構成図であり、図２０よりも引き出しが進行した状態を示している。
【図２２】図２２は、積層体を構成するワイプの折り線に直交し且つ前記積層体の上面を二分する仮想の直線を挟んだ右側においてのみ押さえ部材の抵抗力をワイプの引き出しに作用させるようにした状態を示した斜視構成図であり、最上層のワイプが引き出し始められた状態を示している。
【図２３】図２３は、図２２の状態に続き、最上層のワイプの引き出しが進行した状態を示した斜視構成図である。
【図２４】図２４は、図２３の状態に続き、最上層のワイプの引き出しが終了した状態を示した斜視構成図である。
【図２５】図２５は、Ｗ折りのワイプからなる積層体を構成する最上層のワイプの引き出しが終了する直前の状態を示した側面構成図である。
【発明を実施するための形態】
【００２１】
以下、図１〜図２５に基づいて、この発明の典型的な実施の形態について、説明する。この実施の形態にかかるワイプディスペンサＤは、シート状ワイプ１の積層体２と、前記積層体２を収納すると共に、前記ワイプ１の取出部３ａを上部３ｂに有する収納体３と、前記積層体２の上面２ａに付勢力により押し当たる押さえ部材４とを備えてなる。なお、本明細書においては、積層体２を構成する最上層のワイプ１を上方に位置させるようにその収納体３を設置したワイプディスペンサＤの典型的な使用態様（横置き使用／図１参照）を前提に、この典型的な使用態様において上方に位置される箇所を収納体３の上部３ｂ及び積層体２の上面２ａと定義し、下方に位置される箇所を収納体３の下部３ｃ及び積層体２の下面２ｂと定義している。ワイプディスペンサＤを縦置き使用する場合には、前記上部３ｂは側方を向くことになる。また、図示の例では、積層体２はその上面２ａ及び下面２ｂを共に長方形とする六面体状をなすところ、以下の説明では便宜的に、この六面体における面積の大きい側面の一方を積層体の前側面２ｃと呼称し他方を積層体の後側面２ｄと呼称すると共に、前記六面体の面積を小さくする側面のうち前記前側面２ｃの右側に位置される側面を積層体の右側面２ｅと呼称し前記前側面２ｃの左側に位置される側面を積層体の左側面２ｆと呼称することとする。
【００２２】
図１〜図３は、プラスチックフィルムなどの軟包装材料により、前記収納体３を構成させた例を示している。収納体３は、上部３ｂ及び下部３ｃと、四つの側部３ｄ…３ｄとを備え、六面体状の外観を持つ。かかる収納体３は、図示は省略するが、プラスチック等で形成された箱状のものなどであっても構わない。
【００２３】
収納体３の上部３ｂにワイプ１の取出部３ａが備えられる。図示の例では、かかる取出部３ａは、前記収納体３の上部３ｂに設けられた開口３ｅと、収納体３の内側からこの上部３ｂに取り付けられたアウトレット部材３ｆとから構成されている。図示は省略するが、アウトレット部材３ｆは収納体３の外側から収納体３の上部３ｂに取り付けるようにしても構わない。
【００２４】
アウトレット部材３ｆは、前記開口３ｅよりも大きい基板３ｇと、この基板３ｇに設けられた取出口３ｈを閉塞する蓋体３ｉとを備えている。図示の例では、アウトレット部材３ｆの基板３ｇの外縁部を収納体３の開口３ｅを巡る縁部に固着させることで、このアウトレット部材３ｆにより収納体３の開口３ｅを閉塞させるようにしている。そして、前記蓋体３ｉを開放させることで、前記取出口３ｈを通じて収納体３内の積層体２の最上層にあるワイプ１の先端部をつまみ、このワイプ１を収納体３の外に引き出すことができるようになっている。
【００２５】
図示の例では、基板３ｇはその上面に取出口３ｈを囲む周回壁３ｊを有し、蓋体３ｉはその下面にこの周回壁３ｊと嵌まり合う周回壁３ｋを有している。この嵌まり合いによって、蓋体３ｉによる前記取出口３ｈの閉塞状態が維持される。図示の例では、蓋体３ｉと基板３ｇとは弾性変形可能なヒンジ部３ｍを介して一体に成形されたプラスチック成形品となっている。蓋体３ｉを、前記嵌まり合いを解く大きさの力で、前記ヒンジ部３ｍを回動中心として上方に回動操作することで、前記取出口３ｈは開放される。図示の例とは別に、前記蓋体３ｉは、基板３ｇへの組み合わせ時に前記取出口３ｈを閉塞するこの基板３ｇと別体のものとしておいても構わない。
【００２６】
前記積層体２は、図示の例では、二箇所以上の折り線１ａをもってそれぞれ折り畳まれた多数枚のワイプ１、１…を、上下に重ね合わせることで構成される。従って、かかる積層体２は、実質的に六面体状をなす。また、前記積層体２を構成する各ワイプ１は、先順位で引き出されるワイプ１が引き出されたときに次順位で引き出されるワイプ１も連れ移動されるように上下方向において隣り合うワイプ１と連係されている。図示の例で、次順位で引き出されるワイプ１の引き出し先頭側に位置される先端部１ｂが、先順位で引き出されるワイプ１の後端部１ｃよりも上方に位置されるように、各ワイプ１を重ね合わせている（図１５以下参照）。
【００２７】
図示の例では、積層体２は、長方形の上面２ａ及び下面２ｂと、四つの側面（前側面２ｃ、後側面２ｄ、右側面２ｅ、左側面２ｆ）とを備えている。（図１参照）ワイプ１の折り線１ａは積層体２の上面２ａ及び下面２ｂの長さ側の辺に平行をなし、前側面２ｃ及び後側面２ｄは複数のワイプ１、１…の折り線１ａ部分により形作られている（図１６参照）。
【００２８】
図１５〜図２１は、各ワイプ１は二箇所の折り線１ａ、１ａをもって、いわゆるＺ型に折り畳んだ例を示している（以下、Ｚ折りと称する。）。Ｚ折りのワイプ１から構成される積層体２では、次順位で引き出されるワイプ１の先端部１ｂ側に位置される折り線１ａは、積層体２の前側面２ｃ及び後側面２ｄのいずれか一方側に位置される。
【００２９】
図２５は、各ワイプ１を三箇所の折り線１ａ…１ａをもって、いわゆるＷ型に折り畳んだ例を示している（以下、Ｗ折りと称する。）。Ｗ折りのワイプ１から構成される積層体２では、次順位で引き出されるワイプ１の先端部１ｂ側に位置される折り線１ａが積層体２の前側面２ｃに位置される場合、このワイプ１のさらに次順位で引き出されるワイプ１の先端部１ｂ側に位置される折り線１ａは積層体２の後側面２ｄ側に位置される。
【００３０】
ワイプ１は、典型的には、合成繊維若しくは天然繊維からなる紙、織布又は不織布等を用いて成形された基布に、薬液などを含浸させて構成される。薬液などとしては、例えば、アルコール類、水又はこれらの混合物があげられるが、これらにさらに、香料、抗菌剤、消臭剤、界面活性剤、防腐剤、色素、消泡剤、酸化防止剤、清澄剤、可溶化剤などが必要に応じて配合される。
【００３１】
前記押さえ部材４は、図示の例では、アウトレット部材３ｆと、積層体２の上面２ａとの間にあって、この積層体２の上面２ａに付勢力により押し当たるようになっている。
【００３２】
この押さえ部材４によって、この実施の形態にかかるワイプディスペンサＤにあっては、第一に、ワイプディスペンサＤを前記取出部３ａを側方に向けた縦置きの状態にしても前記押さえ部材４がワイプ１の積層体２のくずれを抑止することからこの縦置きの状態でもワイプディスペンサＤを不都合なく使用することができる。また、第二に、前記押さえ部材４によって前記収納体３内でのワイプ１積層体２のがさつきをできるだけ抑止すことができる。また、第三に、前記押さえ部材４によってワイプ１の消費が前記収納体３の保形力にできる限り影響しないようにすることができる。
【００３３】
図示の例では、押さえ部材４は、アウトレット部材３ｆに支持されている。押さえ部材４は、アウトレット部材３ｆに一箇所で支持されていても、二箇所以上で支持されていても良い。
【００３４】
図１〜図６に示される第一例では、押さえ部材４は、下面側を前記積層体２の上面２ａに対する当接させる長方形の板状を呈している。前記積層体２を構成するワイプ１は折り畳まれて長方形状をなしており、その折り線１ａは図２における左右方向に沿っている。押さえ部材４は、その幅方向を前記ワイプ１の折り線１ａに直交させると共に、その一端部を積層体の上面に当接される押圧部６とすると共に、その他端部において前記ワイプの取出口３ｈを備えたアウトレット部材３ｆに連接部７を介して連接させている。連接部７は、アウトレット部材３ｆにおける取出口３ｈと基板３ｇの一辺との間においてこの基板３ｇにおける積層体２に向けられた下面から下方に突き出すと共に、前記ワイプ１の折り線１ａに直交する向きに続くリブ状をなしている。この連接部７の突き出し端に押さえ部材４の前記他端部が一体化されている。この第一例では、押さえ部材４は、アウトレット部材３ｆと一体に形成されたプラスチック成形品となっている。押さえ部材４は、前記押圧部６と基板３ｇとの間の距離を狭める弾性変形を生じさせた状態でアウトレット部材３ｆと積層体２の上面２ａとの間に位置されるようになっている。ワイプ１が消費されるとこれに伴って押さえ部材４は弾性復帰して前記自由端６とアウトレット部材３ｆとの間の距離を増加させる。第一例においては、図２における符号４’で示す位置が押さえ部材４の弾性変形前の位置である。また、この第一例では、押さえ部材４は下面側を湾曲外側とするように湾曲されている。
【００３５】
そして、この実施の形態にあっては、前記押さえ部材４によって、前記ワイプ１の折り線１ａに直交し且つ前記積層体２の上面２ａを二分する仮想の直線ｘ（図１、図６、図７、図８参照）を挟んだ左側と右側とで、前記取出部３ａから前記ワイプ１を引き出す際の抵抗力が等しくならないようにしてある。
【００３６】
前述のように、前記積層体２を構成する各ワイプ１は、先順位で引き出されるワイプ１が引き出されたときに次順位で引き出されるワイプ１も連れ移動される。前記押さえ部材４がない場合、次順位で引き出されるワイプ１の先端部１ｂ側は大きく浮き上がる（図１９）。
【００３７】
前記押さえ部材４があれば、次順位で引き出されるワイプ１の先端部１ｂ側に、押さえ部材４の抵抗力が作用されることから、先順位で引き出されるワイプ１の後端部１ｃと次順位で引き出されるワイプ１の先端部１ｂとは分離され易くなり、したがってまた、次順位で引き出されるワイプ１の先端部１ｂ側が過度に浮き上がらないようにすることができる（図２１）。
【００３８】
前記押さえ部材４による抵抗力が、前記仮想の直線ｘを挟んだ左側と右側とで等しくならないようにしておけば、先順位で引き出されるワイプ１と次順位で引き出されるワイプ１との分離を前記抵抗力が大きく作用される側で開始させ、これを端緒にしてその余の箇所で両ワイプ１の分離が継続されるようにすることができる。すなわち、この実施の形態にかかるワイプディスペンサＤによれば、先順位で引き出されるワイプ１と次順位で引き出されるワイプ１とを円滑に分離させることができる（図２２〜図２４）。
【００３９】
前記第一例にあっては、押さえ部材４の押圧部６は、図１における前記仮想の直線ｘを挟んだ左側において積層体２の上面２ａに当接されている（図２参照、図２、図１０において前記仮想の直線ｘを含む仮想の縦向きの平面を符号ｘ’で示す。）。すなわち、この第一例では、押さえ部材４の抵抗力は、前記仮想の直線ｘを挟んだ一方側に限って前記積層体２の上面２ａに作用されるようになっている。
【００４０】
また、前記押さえ部材４には、前記ワイプ１の引き出しに摩擦力を作用させる追加抵抗付与部８が形成されている。すなわち、ワイプ１は、この追加抵抗付与部８と、前記取出口３ｈとを通じて、収納体３の外に引き出されるようになっている。
【００４１】
この追加抵抗付与部８は、前記ワイプ１の通過に摩擦力を作用させる大抵抗部８ａ及び小抵抗部８ｃとからなると共に、前記大抵抗部８ａの摩擦力が前記小抵抗部８ｃの摩擦力よりも大きくなるようにしてある。それと共に、この第一例では、前記仮想の直線ｘを挟んで前記付勢力に起因した抵抗力が存在する側に前記大抵抗部８ａを位置させている。
【００４２】
第一例では、前記小抵抗部８ｃは、ワイプ１を指でつまみ出すことが可能な大きさをもった、実質的に円形の穴によって構成されている。一方、大抵抗部８ａは、小抵抗部８ｃに溝一端を連通させて、押さえ部材４の前記押圧部６側に向けて延びる割溝状を呈している。この大抵抗部８ａは、その延長方向に沿った前後の溝縁部をそれぞれ、歯状部を左右方向において隣り合う歯状部との間に間隔を開けて複数備えた鋸歯状縁８ｂとしている。
【００４３】
これにより、この第一例では、押さえ部材４の押圧部６側においては、追加抵抗付与部８を通過するワイプ１に大抵抗部８ａの鋸歯状縁８ｂを引っかけてこれに大きな摩擦力を作用させることができ、先順位で引き出されるワイプ１と次順位で引き出されるワイプ１とを確実に分離させることができる。それと共に、押さえ部材４の押圧部６から離れた側では前記小抵抗部８ｃによって次順位で引き出されるワイプ１の浮き上がりを適度に許容させることができる。
【００４４】
図７は、前記押さえ部材４の押圧部６側を、その下面を湾曲内側とするように湾曲させた形状とした、前記第一例の一部変更例を示している。
【００４５】
図８に示される第二例にあっては、前記押さえ部材４は、その一端部を前記積層体２の上面に当接させる押圧部９とすると共に、蓄勢部材１０を介して前記ワイプ１の取出口３ｈを備えたアウトレット部材３ｆにこの押圧部９側で支持され、この押圧部９と他端部との間に追加抵抗付与部１１を備えたものとなっている。この第二例にあっては、押さえ部材４は、前記仮想の直線ｘに平行な右辺１２と、この右辺１２に直交する前辺１３と及び後辺１４とを備えると共に、左辺１５を図示しない仮想の円の円弧に沿わせた半円弧状に形成させた板体によって構成されている。この第二例では、前記蓄勢部材１０は、上端を前記アウトレット部材３ｆの基板３ｇに一体化させ、かつ、下端を押さえ部材４の右辺１２に一体化させた帯板状を呈している。蓄勢部材１０は幅方向に沿った折り線１０ａを上下方向に隣り合う折り線１０ａとの間に間隔を開けて複数有している。押さえ部材４は、蓄勢部材１０を前記複数の折り線１０ａ、１０ａ…においてそれぞれ弾性的に屈曲させた状態で、前記仮想の直線ｘを挟んだ右側において右辺を積層体２の上面２ａに当接させると共に、この右辺１２を最も下にし前記左辺１５を最も上に位置させた斜めの状態で収納体３内に配されるようになっている。すなわち、この第二例にあっては、前記押さえ部材４の右辺１２が前記押圧部９として機能するようになっている。この第二例にあっては、前記押さえ部材４には、前記左辺１５に溝一端を連通させて、前記押圧部９側に向けて延びる割溝が形成されている。この割溝は、その延長方向に沿った前後の溝縁部をそれぞれ、歯状部を左右方向において隣り合う歯状部との間に間隔を開けて複数備えた鋸歯状縁１１ｂとしている。そして、この第二例では、押さえ部材４の前記割溝と左辺１５を通じてワイプ１の引き出しを許容するようになっている。この第二例にあっては、押さえ部材４の押圧部９側においては、前記割溝を通過するワイプ１に前記鋸歯状縁１１ｂを引っかけてこれに大きな摩擦力を作用させることができる。すなわち、この第二例にあっては、前記割溝が大抵抗部１１ａとして機能し、前記押さえ部材４の左辺１５が小抵抗部１１ｃとして機能するようになっている。
【００４６】
図９及び図１０に示される第三例にあっては、前記押さえ部材４は、前記仮想の直線ｘを挟んだ左右においてそれぞれ蓄勢部材１６を介して前記ワイプ１の取出口３ｈを備えたアウトレット部材３ｆに支持されている。それと共に、かかる左側の蓄勢部材１６の付勢力と右側の蓄勢部材１６の付勢力とが異なるようになっている。この第三例にあっては、押さえ部材４は下面の全体を積層体２の上面２ａに当接させる長方形の板状を呈している。押さえ部材４は、前記取出口３ｈを挟んだ右側と左側とにおいてそれぞれ蓄勢部材１６を介してアウトレット部材３ｆの基板３ｇに連接されている。左右の蓄勢部材１６、１６はそれぞれ、上端を前記基板３ｇに一体化させ、かつ、下端を押さえ部材４の上面に一体化させた帯板状を呈している。蓄勢部材１６は幅方向に沿った折り線１６ａを上下方向に隣り合う折り線１６ａとの間に間隔を開けて複数有している。押さえ部材４は、蓄勢部材１６を前記複数の折り線１６ａ、１６ａ…においてそれぞれ弾性的に屈曲させた状態で、その下面を積層体２の上面２ａに当接させるようになっている。この第三例にあっては、右側の蓄勢部材１６の幅が左側の蓄勢部材１６の幅よりも小さくなっており、これにより、左側の蓄勢部材１６の付勢力より右側の蓄勢部材１６の付勢力が小さくなるようにしてある。これにより、この第三例では、押さえ部材４の抵抗力は、前記仮想の直線ｘを挟んだ両側においてそれぞれ作用するが、この仮想の直線ｘを挟んだ一方側の付勢力と他方側の付勢力とが等しくならないようになっている。この第三例にあっては、押さえ部材４は左右方向に長いワイプ１の通過穴１７を備えている。押さえ部材４の長さ方向中程の位置を挟んだ右側においては通過穴１７の穴縁は仮想の楕円の円弧に沿った態様になっているが、左側においては通過穴１７の前側の穴縁及び後側の穴縁共に、通過穴の内方に突き出す歯状部を左右方向において隣り合う歯状部との間に間隔を開けて複数備えた鋸歯状縁１８ａとなっている。これにより、この第三例では、通過穴１７の左側では引き出されるワイプ１に鋸歯状縁１８ａが引っかかってこれに抵抗力を作用させるが、通過穴１７の右側ではこのような抵抗力を作用させないようになっている。すなわち、この第三例にあっては、かかる押さえ部材４の通過穴１７の右側が追加抵抗付与部１８の小抵抗部１８ｃとして機能し、かつ、この通過穴１７の左側が追加抵抗付与部１８の大抵抗部１８ａとして機能するものとなっており、前記仮想の直線ｘを挟んで前記付勢力に起因した抵抗力が大である側に前記大抵抗部１８ａを位置させている。
【００４７】
図１１〜図１４に示される第四例にあっては、ワイプ１ディスペンサＤは、前記押さえ部材４を前記付勢力に抗する方向に引き寄せた状態に保持するための保持部材２４を、前記保持を解除することができるように備えている。この第四例は、前記第一例にかかる保持部材２４を付加した構成となっている。
【００４８】
図１１は、ワイプ１ディスペンサＤが使用開始される前の状態を示しており、図１におけるＡ―Ａ線断面に相当する断面図である。ワイプ１ディスペンサＤの未使用時（即ち、使用開始前）は、収納体３内に収納されている積層体２の乾燥を完全に防止するために、蓋体３ｉより下方に設けられた開封部材２５により取出口３ｈが完全に密封されている。そして、開封部材２５を取出口３ｈから外側に取り外せば、取出口３ｈの密封状態を解除することができる。
【００４９】
開封部材２５は、アウトレット部材３ｆと一体に成形されている。開封部材２５の外周部には、その全周にわたってＶ字状の断面をなす脆弱部２６が形成されている。また、開封部材２５の表面側には、指先で外方に引っ張ることができるプルトップリング２７が開封部材２５と一体に成形されている。
【００５０】
開封部材２５が取出口３ｈから取り外されていないワイプ１ディスペンサＤの未使用時の状態においては、取出口３ｈが開封部材２５で密閉されており、プルトップリング２７を外方に引っ張ると、脆弱部２６がせん断破壊されて開封部材２５が外側に取り外される。これにより、アウトレット部材３ｆの取出口３ｈを通じて収納体３内からワイプ１を引き出せる状態が作り出される。
【００５１】
この第四例にあっては、開封部材２５の裏面（即ち、収納体３内に面する側の面）から収納体３の内部の方向に向かって、一対の保持部材２４、２４が突出形成されている。保持部材２４は、押さえ部材４を付勢力に抗してアウトレット部材３ｆに引き寄せた状態に保持して、押さえ部材４が積層体２に押し付けられないようにするものである。
【００５２】
図示の例では、保持部材２４は、押さえ部材４を裏側から見た状態を示す図１２などに図示されるように、開封部材２５の裏面側から突出する細いロッド状に形成されていて、開封部材２５に連設されている。具体的には、この例に示す保持部材２４は開封部材２５と一体に成形されている。また、この実施例では保持部材２４が前後に二つ設けられており、押さえ部材４の長さ方向に沿った縁部の裏面に係脱自在に係合する係合部２４ａが、各保持部材２４の先端に形成されている。係合部２４ａは図示の例ではフック状に形成されているが、その他の形状であっても差し支えない。図示の例では、押さえ部材４に対する係合部２４ａによる係合は、保持部材２４を一定量外側に移動させた場合に、保持部材２４の弾性変形によって解かれるようになっている。
【００５３】
図１３に示されるように、開封部材２５が取り外されていない未使用の状態では、係合部が押さえ部材４の長さ方向に沿った縁部に係合していて、押さえ部材４を回動させようとする付勢力に抗して、押さえ部材４をアウトレット部材３ｆの裏面近傍に引き寄せた状態を保持している。
【００５４】
このように、ワイプ１ディスペンサＤにおける押さえ部材４がアウトレット部材３ｆの裏面の近傍位置に引き寄せた状態と保持できるように構成されていると、ワイプ１ディスペンサＤの製造工程においても作業工程がスムーズに実施することが容易となる。すなわち、押さえ部材４をアウトレット部材３ｆの裏面の近傍位置に引き寄せた状態とした後の作業工程で、押さえ部材４が収納体３の内部に向かう方向に不用意に飛び出すおそれが抑制されることから、収納体３とアウトレット部材３ｆとの固着する工程、アウトレット部材３ｆが固着された収納体３に積層体２を梱包する工程といった各工程を自動製造機を用いてスムーズかつ容易に行うことができるのである。
【００５５】
そして、図１４に示されるように、ワイプ１ディスペンサＤの使用開始にあたって開封部材２５を外部に取り外すと、開封部材２５と一体化されている保持部材２４の係合部２４ａと押さえ部材４との係合が外れ、図１４に矢印Ｆで示されるように、押さえ部材４が付勢力によって収納体３の奥側方向に回動する。その結果、ワイプ１ディスペンサＤの使用状態では、押さえ部材４が積層体２の上面２ａに押し付けられるようになる。
【００５６】
図示は省略するが、前記保持部材２４は、開封部材２５の裏面と押さえ部材４を接着する接着剤で構成させることもできる。この場合、開封部材２５と押さえ部材４などは接着剤で接着可能な形状（例えばシート状等）に形成される。このように構成されたワイプ１ディスペンサＤにおいては、開封部材２５で取出口３ｈを密封した状態である未使用の状態では、接着剤で開封部材２５の裏面と押さえ部材４とを接着した状態が形成されて押さえ部材４をアウトレット部材３ｆの裏面近傍に引き寄せた状態が保持されている。そして、開封部材２５が取出口３ｈから取り外されると、開封部材２５と押さえ部材４との接着が剥がれ、押さえ部材４が積層体２に押し付けられた状態になる。
【００５７】
なお、本発明は、上記の各実施例に限定されるものではなく、請求の範囲に記載された発明の概念に含まれる全ての態様を含むものである。
【図１】
2014142091.tif 000003
【図２】
2014142091.tif 000004
【図３】
2014142091.tif 000005
【図４】
2014142091.tif 000006
【図５】
2014142091.tif 000007
【図６】
2014142091.tif 000008
【図７】
2014142091.tif 000009
【図８】
2014142091.tif 000010
【図９】
2014142091.tif 000011
【図１０】
2014142091.tif 000012
【図１１】
2014142091.tif 000013
【図１２】
2014142091.tif 000014
【図１３】
2014142091.tif 000015
【図１４】
2014142091.tif 000016
【図１５】
2014142091.tif 000017
【図１６】
2014142091.tif 000018
【図１７】
2014142091.tif 000019
【図１８】
2014142091.tif 000020
【図１９】
2014142091.tif 000021
【図２０】
2014142091.tif 000022
【図２１】
2014142091.tif 000023
【図２２】
2014142091.tif 000024
【図２３】
2014142091.tif 000025
【図２４】
2014142091.tif 000026
【図２５】
2014142091.tif 000027
【国際調査報告】
2014142091.tif 000028
2014142091.tif 000029
2014142091.tif 000030
2014142091.tif 000031